(57)【特許請求の範囲】
【請求項１】
配線基板と、
前記配線基板に搭載された制御ＩＣと、を有し、
前記配線基板は、ループ状の第１配線経路および第２配線経路と、第１モーターに接続される第１接続端子および第２接続端子と、第２モーターに接続される第３接続端子および第４接続端子とを有し、
前記制御ＩＣは、前記第１モーターおよび前記第２モーターのいずれか一方に駆動信号を出力する第１出力端子および第２出力端子と、前記第１モーターおよび前記第２モーターのいずれか他方に駆動信号を出力する第３出力端子および第４出力端子とを有し、
前記第１出力端子および前記第２出力端子は、前記第３出力端子と前記第４出力端子との間に配置され、
前記第１配線経路には、前記第１出力端子および前記第３出力端子の各出力端子と、前記第１接続端子および前記第３接続端子の各接続端子とが、経路に沿う方向において交互に接続され、
前記第２配線経路には、前記第２出力端子および前記第４出力端子の各出力端子と、前記第２接続端子および前記第４接続端子の各接続端子とが、経路に沿う方向において交互に接続されている
ことを特徴とする回路モジュール。
【請求項２】
請求項１に記載の回路モジュールにおいて、
前記第１モーターは、基本時計の表示用モーターであり、
前記第２モーターは、基本時計とは別の表示用モーターである
ことを特徴とする回路モジュール。
【請求項３】
請求項１に記載の回路モジュールにおいて、
前記第１モーターは、基本時計とは別の表示用モーターであり、
前記第２モーターは、基本時計の表示用モーターである
ことを特徴とする回路モジュール。
【請求項４】
配線基板と、前記配線基板に搭載された制御ＩＣと、を有し、
前記制御ＩＣは、第１モーターおよび第２モーターのいずれか一方に駆動信号を出力する第１出力端子および第２出力端子と、前記第１モーターおよび前記第２モーターのいずれか他方に駆動信号を出力する第３出力端子および第４出力端子とを有し、
前記配線基板は、
ループ状の第１配線経路および第２配線経路と、
前記第１モーターに接続される第１接続端子および第２接続端子と、
前記第２モーターに接続される第３接続端子および第４接続端子と、
前記第１出力端子および前記第１配線経路を接続する第１出力配線と、
前記第２出力端子および前記第２配線経路を接続する第２出力配線と、
前記第３出力端子および前記第１配線経路を接続する第３出力配線と、
前記第４出力端子および前記第２配線経路を接続する第４出力配線と、
前記第１接続端子および前記第１配線経路を接続する第１接続配線と、
前記第２接続端子および前記第２配線経路を接続する第２接続配線と、
前記第３接続端子および前記第１配線経路を接続する第３接続配線と、
前記第４接続端子および前記第２配線経路を接続する第４接続配線と、を有し、
前記第１配線経路は、前記第１出力配線および前記第１接続配線間を連結する第１連結配線部と、前記第１接続配線および前記第３出力配線間を連結する第２連結配線部と、前記第３出力配線および前記第３接続配線間を連結する第３連結配線部と、前記第３接続配線および前記第１出力配線間を連結する第４連結配線部と、を備えてループ状に形成され、
前記第２配線経路は、前記第２出力配線および前記第２接続配線間を連結する第５連結配線部と、前記第２接続配線および前記第４出力配線間を連結する第６連結配線部と、前記第４出力配線および前記第４接続配線間を連結する第７連結配線部と、前記第４接続配線および前記第２出力配線間を連結する第８連結配線部と、を備えてループ状に形成され、
前記第１出力配線および前記第２出力配線は、前記第３出力配線および前記第４出力配線間に配置されている
ことを特徴とする回路モジュール。
【請求項５】
請求項１から請求項４のいずれか１項に記載の回路モジュールを備え、
前記第１配線経路の２箇所および前記第２配線経路の２箇所が切断されて、前記第１出力端子および前記第２出力端子が、前記第１接続端子および前記第２接続端子と前記第３接続端子および前記第４接続端子とのいずれか一方に接続し、前記第３出力端子および前記第４出力端子が、前記第１接続端子および前記第２接続端子と前記第３接続端子および前記第４接続端子とのいずれか他方に接続している
ことを特徴とする時計用ムーブメント。
【請求項６】
請求項５に記載の時計用ムーブメントは、
クロノグラフ時計用のムーブメントである
ことを特徴とする時計用ムーブメント。
【請求項７】
請求項５または請求項６に記載の時計用ムーブメントを備えた
ことを特徴とする電子時計。
【請求項８】
請求項１から請求項４のいずれか１項に記載の回路モジュールに対して、
前記第１配線経路の２箇所および前記第２配線経路の２箇所を切断することで、前記第１出力端子および前記第２出力端子を、前記第１接続端子および前記第２接続端子と前記第３接続端子および前記第４接続端子とのいずれか一方に接続し、前記第３出力端子および前記第４出力端子を、前記第１接続端子および前記第２接続端子と前記第３接続端子および前記第４接続端子とのいずれか他方に接続する
ことを特徴とする回路モジュールの配線方法。
【発明の詳細な説明】
【技術分野】
【０００１】
本発明は、回路モジュール、時計用ムーブメント、電子時計、および回路モジュールの配線方法に関する。
【背景技術】
【０００２】
クロノグラフ機能を備えたアナログ電子時計は、基本時計表示用の指針を駆動する基本時計用のモーターと、クロノグラフ表示用の指針を駆動するクロノグラフ用のモーターとを備えている（例えば、特許文献１参照）。
【先行技術文献】
【特許文献】
【０００３】
【特許文献１】特開２０１０−２５６３３７号公報
【発明の概要】
【発明が解決しようとする課題】
【０００４】
ところで、クロノグラフ機能を備えたアナログ電子時計では、デザイン上、指針の位置を変更することがあり、この場合、指針と当該指針を駆動するモーターとの配置関係に応じて、基本時計用のモーターをクロノグラフ用のモーターとして機能させ、クロノグラフ用のモーターを基本時計用のモーターとして機能させる場合ある。
しかしながら、この場合、通常は、モーターの駆動を制御する制御ＩＣの配線や、制御ＩＣが搭載された配線基板の配線も変更する必要がある。このため、別途、制御ＩＣや配線基板を準備する必要があり、設計や製造にかかるコストが増大するという問題があった。
【０００５】
本発明の目的は、設計や製造にかかるコストを低減できる回路モジュール、時計用ムーブメント、電子時計、および回路モジュールの配線方法を提供することにある。
【課題を解決するための手段】
【０００６】
本発明の回路モジュールは、配線基板と、前記配線基板に搭載された制御ＩＣと、を有し、前記配線基板は、ループ状の第１配線経路および第２配線経路と、第１モーターに接続される第１接続端子および第２接続端子と、第２モーターに接続される第３接続端子および第４接続端子とを有し、前記制御ＩＣは、前記第１モーターおよび前記第２モーターのいずれか一方に駆動信号を出力する第１出力端子および第２出力端子と、前記第１モーターおよび前記第２モーターのいずれか他方に駆動信号を出力する第３出力端子および第４出力端子とを有し、前記第１出力端子および前記第２出力端子は、前記第３出力端子と前記第４出力端子との間に配置され、前記第１配線経路には、前記第１出力端子と、前記第１接続端子と、前記第３出力端子と、前記第３接続端子とがこの順番で接続され、前記第２配線経路には、前記第２出力端子と、前記第２接続端子と、前記第４出力端子と、前記第４接続端子とがこの順番で接続されていることを特徴とする。
【０００７】
本発明によれば、第１配線経路における第１出力端子と第３接続端子との間を切断することで、第１出力端子と第１接続端子とを選択的に接続でき、第１配線経路における第３出力端子と第１接続端子との間を切断することで、第３出力端子と第３接続端子とを選択的に接続できる。また、第２配線経路における第２出力端子と第４接続端子との間を切断することで、第２出力端子と第２接続端子とを選択的に接続でき、第２配線経路における第４出力端子と第２接続端子との間を切断することで、第４出力端子と第４接続端子とを選択的に接続できる。これにより、第１および第２出力端子から出力された信号を第１モーターに入力でき、第３および第４出力端子から出力された信号を第２モーターに入力できる。
また、第１配線経路における第１出力端子と第１接続端子との間を切断することで、第１出力端子と第３接続端子とを選択的に接続でき、第１配線経路における第３出力端子と第３接続端子との間を切断することで、第３出力端子と第１接続端子とを選択的に接続できる。また、第２配線経路における第２出力端子と第２接続端子との間を切断することで、第２出力端子と第４接続端子とを選択的に接続でき、第２配線経路における第４出力端子と第４接続端子との間を切断することで、第４出力端子と第２接続端子とを選択的に接続できる。これにより、第１および第２出力端子から出力された信号を第２モーターに入力でき、第３および第４出力端子から出力された信号を第１モーターに入力できる。
このように、本発明によれば、第１配線経路および第２配線経路における切断位置を変更することで、制御ＩＣおよび配線基板の配線を変更することなく、第１モーターおよび第２モーターに入力される駆動信号を入れ替えることができ、第１モーターおよび第２モーターの機能を入れ替えて使用できる。これにより、回路モジュールの設計や製造にかかるコストを低減できる。
また、本発明によれば、制御ＩＣにおいて、第１出力端子および第２出力端子は、第３出力端子と第４出力端子との間に配置されているため、各出力端子と第１および第２配線経路とを接続する配線を、互いに交差させることなく配置でき、交差する場合と比べて、配線構造を簡略化できる。
【０００８】
本発明の回路モジュールにおいて、前記第１モーターは、基本時計の表示用モーターであり、前記第２モーターは、基本時計とは別の表示用モーターであることが好ましい。
または、本発明の回路モジュールにおいて、前記第１モーターは、基本時計とは別の表示用モーターであり、前記第２モーターは、基本時計の表示用モーターであることが好ましい。
【０００９】
基本時計とは別の表示用モーターは、例えば、クロノグラフの表示用モーターである。
本発明によれば、配線基板における切断位置を変更すれば、例えば、クロノグラフの指針を駆動するモーターを、基本時計の指針を駆動するモーターとして機能させることができる。これによれば、基本時計の指針の位置を、クロノグラフの指針の位置と容易に入れ替えることができ、電子時計のデザインを容易に変更できる。
【００１０】
本発明の回路モジュールは、配線基板と、前記配線基板に搭載された制御ＩＣと、を有し、前記制御ＩＣは、第１モーターおよび第２モーターのいずれか一方に駆動信号を出力する第１出力端子および第２出力端子と、前記第１モーターおよび前記第２モーターのいずれか他方に駆動信号を出力する第３出力端子および第４出力端子とを有し、前記配線基板は、ループ状の第１配線経路および第２配線経路と、前記第１モーターに接続される第１接続端子および第２接続端子と、前記第２モーターに接続される第３接続端子および第４接続端子と、前記第１出力端子および前記第１配線経路を接続する第１出力配線と、前記第２出力端子および前記第２配線経路を接続する第２出力配線と、前記第３出力端子および前記第１配線経路を接続する第３出力配線と、前記第４出力端子および前記第２配線経路を接続する第４出力配線と、前記第１接続端子および前記第１配線経路を接続する第１接続配線と、前記第２接続端子および前記第２配線経路を接続する第２接続配線と、前記第３接続端子および前記第１配線経路を接続する第３接続配線と、前記第４接続端子および前記第２配線経路を接続する第４接続配線と、を有し、前記第１配線経路は、前記第１出力配線および前記第１接続配線間を連結する第１連結配線部と、前記第１接続配線および前記第３出力配線間を連結する第２連結配線部と、前記第３出力配線および前記第３接続配線間を連結する第３連結配線部と、前記第３接続配線および前記第１出力配線間を連結する第４連結配線部と、を備えてループ状に形成され、前記第２配線経路は、前記第２出力配線および前記第２接続配線間を連結する第５連結配線部と、前記第２接続配線および前記第４出力配線間を連結する第６連結配線部と、前記第４出力配線および前記第４接続配線間を連結する第７連結配線部と、前記第４接続配線および前記第２出力配線間を連結する第８連結配線部と、を備えてループ状に形成され、前記第１出力配線および前記第２出力配線は、前記第３出力配線および前記第４出力配線間に配置されていることを特徴とする。
本発明によれば、上記回路モジュールと同様の効果を得ることができる。
【００１１】
本発明の時計用ムーブメントは、上記回路モジュールを備え、前記第１配線経路の２箇所および前記第２配線経路の２箇所が切断されて、前記第１出力端子および前記第２出力端子が、前記第１接続端子および前記第２接続端子と前記第３接続端子および前記第４接続端子とのいずれか一方に接続し、前記第３出力端子および前記第４出力端子が、前記第１接続端子および前記第２接続端子と前記第３接続端子および前記第４接続端子とのいずれか他方に接続していることを特徴とする。
上記回路モジュールによれば、設計や製造にかかるコストを低減できるため、上記回路モジュールが搭載された時計用ムーブメントの設計や製造にかかるコストも低減できる。
【００１２】
本発明の時計用ムーブメントは、クロノグラフ時計用のムーブメントであることが好ましい。
クロノグラフ時計では、基本時計の指針（時針、分針、秒針等）に加えて、クロノグラフの指針も備えているため、指針の数が多くなる。このため、モーターの機能を入れ替えて指針の位置を変更できることで、デザインのバリエーションを効果的に増やすことができる。
【００１３】
本発明の電子時計は、上記時計用ムーブメントを備えたことを特徴とする。
上記時計用ムーブメントによれば、設計や製造にかかるコストを低減できるため、上記時計用ムーブメントが搭載された電子時計の設計や製造にかかるコストも低減できる。
【００１４】
本発明の回路モジュールの配線方法は、上記回路モジュールに対して、前記第１配線経路の２箇所および前記第２配線経路の２箇所を切断することで、前記第１出力端子および前記第２出力端子を、前記第１接続端子および前記第２接続端子と前記第３接続端子および前記第４接続端子とのいずれか一方に接続し、前記第３出力端子および前記第４出力端子を、前記第１接続端子および前記第２接続端子と前記第３接続端子および前記第４接続端子とのいずれか他方に接続することを特徴とする。
【００１５】
本発明によれば、第１配線経路および第２配線経路における切断位置を変更することで、制御ＩＣおよび配線基板の配線を変更することなく、第１モーターおよび第２モーターの機能を入れ替えて使用でき、回路モジュールの設計や製造にかかるコストを低減できる。
【図面の簡単な説明】
【００１６】
【図１】本発明の実施形態にかかる電子時計を示す図である。
【図２】前記電子時計のムーブメントを裏蓋側から見た平面図である。
【図３】前記ムーブメントの要部を裏蓋側から見た斜視図である。
【図４】前記電子時計のモーター駆動回路を示す回路図である。
【図５】前記回路モジュールを裏蓋側から見た部分平面図である。
【図６】前記電子時計と設計変更した電子時計の指針の位置を比較した図である。
【図７】前記設計変更した電子時計のムーブメントを裏蓋側から見た平面図である。
【図８】前記設計変更した電子時計のモーター駆動回路を示す回路図である。
【図９】変形例の電子時計を示す図である。
【図１０】変形例の電子時計の指針の位置の変更を説明する図である。
【図１１】変形例の制御ＩＣを示す図である。
【発明を実施するための形態】
【００１７】
本発明の実施形態の電子時計を図面に基づいて説明する。
［電子時計１の構成］
図１は、本実施形態の電子時計１を示す図である。
電子時計（クロノグラフ時計）１は、通常の時分秒の各指針による１２時間表示に加えて、２４時間表示、日付表示、ストップウォッチ機能を行う秒ＣＧ（クロノグラフ）表示、分ＣＧ表示の複数の表示機能を備えている。
電子時計１は、図１に示すように、時刻を１２時間表示する時針２、分針３、秒針４と、時刻を２４時間表示する２４時針５と、秒ＣＧ針６と、分ＣＧ針７と、日付を表示する日車８とを備えている。
【００１８】
時針２、分針３および秒針４は、図１に示すように、電子時計１の文字板１３の略中央に同軸上でかつ回動可能に設けられている。
２４時針５は、文字板１３の中央よりも３時側で時針２、分針３および秒針４とは独立した軸上に回動可能に設けられている。
秒ＣＧ針６は、文字板１３の中央よりも６時側で時針２、分針３および秒針４とは独立した軸上に回動可能に設けられている。
分ＣＧ針７は、文字板１３の中央よりも９時側で時針２、分針３および秒針４と、秒ＣＧ針６とは独立した軸上に回動可能に設けられている。
【００１９】
［ムーブメントの構成］
図２は、電子時計１に搭載されたムーブメント１０を裏蓋側から見た平面図である。
ムーブメント（時計用ムーブメント）１０は、第１モーター１００と、第２モーター２００と、基本時計輪列３００と、クロノグラフ輪列４００と、回路モジュール５００と、導通基板６００とを備えている。
図３は、ムーブメント１０の要部を裏蓋側から見た斜視図である。図３では、基本時計輪列３００およびクロノグラフ輪列４００は図示を省略している。
図３に示すように、第１モーター１００および第２モーター２００は、電子時計１の厚さ方向の高さ位置が、同じ高さに位置している。そして、回路モジュール５００は、第２モーター２００に対して裏蓋側に位置し、導通基板６００は、回路モジュール５００および第１モーター１００に対して裏蓋側に位置している。
【００２０】
［第１モーター］
図２に示すように、第１モーター１００は、磁心１０１と、磁心１０１に巻回されたコイル１０２と、ステーター１０３と、ステーター１０３に設けられた孔に配置されたローター１０４と、コイル１０２の一端に接続された電極ＭＡ１（図２，３）と、コイル１０２の他端に接続された電極ＭＡ２（図２，３）とを備えている。
ローター１０４は、基本時計輪列３００を介して、文字板１３の略中央の位置ＰＣに配置され、時針２、分針３、秒針４がそれぞれ取り付けられる指針軸を駆動する。
すなわち、第１モーター１００は、電子時計１では、基本時計用の指針２，３，４を駆動するモーターとして機能する。
【００２１】
ここで、基本時計輪列３００は、ローター１０４に噛合する歯車２１と、歯車２１に噛合し、秒針４が取り付けられる歯車２２と、歯車２２に噛合する歯車２３と、歯車２３に噛合し、分針３が取り付けられる歯車２４と、歯車２４に噛合する歯車２５と、歯車２５に噛合し、時針２が取り付けられる歯車２６とを備えている。
【００２２】
［第２モーター］
第２モーター２００は、磁心２０１と、磁心２０１に巻回されたコイル２０２と、ステーター２０３と、ステーター２０３に設けられた孔に配置されたローター２０４と、コイル２０２の一端と接続された電極ＭＢ１（図２，３）と、コイル２０２の他端と接続された電極ＭＢ２（図２，３）とを備えている。
ローター２０４は、クロノグラフ輪列４００を介して、文字板１３の中央よりも６時側の位置Ｐ６に配置され、秒ＣＧ針６が取り付けられる指針軸と、文字板１３の中央よりも９時側の位置Ｐ９に配置され、分ＣＧ針７が取り付けられる指針軸を駆動する。
すなわち、第２モーター２００は、電子時計１では、クロノグラフ用の指針６，７を駆動するモーターとして機能する。
【００２３】
ここで、クロノグラフ輪列４００は、ローター２０４に噛合する歯車２７と、歯車２７に噛合し、秒ＣＧ針６が取り付けられる歯車２８と、歯車２７に噛合する歯車２９と、歯車２９に噛合する歯車３０と、歯車３０に歯合する歯車３１と、歯車３１に歯合する歯車３２と、歯車３２に歯合し、分ＣＧ針７が取り付けられる歯車３３とを備えている。
なお、クロノグラフ輪列４００の歯車２８，３３をそれぞれ１回転させる第２モーター２００のステップ数は、基本時計輪列３００における歯車２２，２４をそれぞれ１回転させる第１モーター１００のステップ数と同じ値に設定されている。
【００２４】
［回路モジュール］
回路モジュール５００は、配線パターンが文字板側（裏蓋側とは反対側）に設けられた配線基板５１０と、配線基板５１０に対して文字板側に搭載された制御ＩＣ５９０とを備えている。
図４は、回路モジュール５００により構成されたモーター駆動回路を示す回路図である。図５は、回路モジュール５００を裏蓋側から見た部分平面図である。
図４，５に示すように、制御ＩＣ５９０は、出力端子Ａ１（第１出力端子），出力端子Ａ２（第２出力端子）、出力端子Ｂ１（第３出力端子），出力端子Ｂ２（第４出力端子）を備えている。出力端子Ａ１は、出力端子Ｂ１と出力端子Ｂ２との間に、出力端子Ｂ１と隣り合って配置されている。出力端子Ａ２は、出力端子Ｂ１と出力端子Ｂ２との間に、出力端子Ｂ２と隣り合って配置されている。
電子時計１では、出力端子Ａ１，Ａ２は、基本時計用のモーターの駆動信号を出力する端子であり、出力端子Ｂ１，Ｂ２は、クロノグラフ用のモーターの駆動信号を出力する端子である。
【００２５】
図２，４，５に示すように、配線基板５１０の表面側（文字板側）には、後述する導通基板６００（図２）を介して第１モーター１００の電極ＭＡ１と接続する接続端子５１１（第１接続端子）と、導通基板６００を介して第１モーター１００の電極ＭＡ２と接続する接続端子５１２（第２接続端子）と、第２モーター２００の電極ＭＢ１と接続する接続端子５１３（第３接続端子）と、第２モーター２００の電極ＭＢ２と接続する接続端子５１４（第４接続端子）とが設けられている。
図５に示すように、配線基板５１０には、２つの貫通孔５２１，５２２が設けられており、接続端子５１１，５１２は、折り曲げられて、貫通孔５２１，５２２を介して、配線基板５１０の裏蓋側に突出している。
配線基板５１０の裏蓋側には、後述する導通基板６００の一端が配置されている。そして、配線基板５１０の裏蓋側に突出した接続端子５１１，５１２は、この導通基板６００に接続し、導通基板６００を介して第１モーター１００の電極ＭＡ１，ＭＡ２に接続される。
また、配線基板５１０には、ねじ止め用の孔５２３が設けられており、配線基板５１０は、孔５２３を挿通するねじＮ１（図２，３）によって、第２モーター２００を間に挟んで地板（図示省略）に固定される。ここで、接続端子５１３，５１４は、第２モーターの電極ＭＢ１，ＭＢ２と対向するように配置され、電極ＭＢ１，ＭＢ２と接触して接続されている。
【００２６】
さらに、配線基板５１０には、図４，５に示すように、ループ状の第１配線経路５３０および第２配線経路５４０が設けられている。
第１配線経路５３０には、出力端子Ａ１と接続された出力配線５５１（第１出力配線）と、接続端子５１１と接続された接続配線５６１（第１接続配線）と、出力端子Ｂ１と接続された出力配線５５３（第３出力配線）と、接続端子５１３と接続された接続配線５６３（第３接続配線）とが左回りにこの順番で接続されている。
すなわち、第１配線経路５３０は、出力配線５５１および接続配線５６１間を連結する連結配線部５３１（第１連結配線部）と、接続配線５６１および出力配線５５３間を連結する連結配線部５３２（第２連結配線部）と、出力配線５５３および接続配線５６３間を連結する連結配線部５３３（第３連結配線部）と、接続配線５６３と出力配線５５１間を連結する連結配線部５３４（第４連結配線部）とで構成されている。
第２配線経路５４０には、出力端子Ａ２と接続された出力配線５５２（第２出力配線）と、接続端子５１２と接続された接続配線５６２（第２接続配線）と、出力端子Ｂ２と接続された出力配線５５４（第４出力配線）と、接続端子５１４と接続された接続配線５６４（第４接続配線）とが右回りにこの順番で接続されている。
すなわち、第２配線経路５４０は、出力配線５５２および接続配線５６２間を連結する連結配線部５４１（第５連結配線部）と、接続配線５６２および出力配線５５４間を連結する連結配線部５４２（第６連結配線部）と、出力配線５５４および接続配線５６４間を連結する連結配線部５４３（第７連結配線部）と、接続配線５６４と出力配線５５２間を連結する連結配線部５４４（第８連結配線部）とで構成されている。
【００２７】
ここで、出力配線５５１，５５２は、図５に示すように、出力配線５５３および出力配線５５４間に配置され、さらに、接続端子５１１と接続端子５１２との間を通過して配置されている。
そして、接続端子５１１は、出力配線５５１と、第１配線経路５３０を構成する連結配線部５３１，５３２と、出力配線５５３とに囲まれた領域Ｓ１内に配置されている。
また、接続端子５１２は、出力配線５５２と、第２配線経路５４０を構成する連結配線部５４１，５４２と、出力配線５５４とに囲まれた領域Ｓ２内に配置されている。
また、接続端子５１３，５１４は、第１配線経路５３０および第２配線経路５４０の外側であって、かつ、領域Ｓ１，Ｓ２の外に配置されている。
【００２８】
そして、電子時計１では、第１配線経路５３０における連結配線部５３２，５３４には、パンチ抜きにより孔Ｐが設けられており、連結配線部５３２，５３４は途中で切断されている。これにより、出力端子Ａ１は、出力配線５５１、連結配線部５３１、接続配線５６１を介して接続端子５１１に選択的に接続され、出力端子Ｂ１は、出力配線５５３、連結配線部５３３、接続配線５６３を介して接続端子５１３に選択的に接続される。
さらに、電子時計１では、第２配線経路５４０における連結配線部５４２，５４４には、パンチ抜きにより孔Ｐが設けられており、連結配線部５４２，５４４は途中で切断されている。これにより、出力端子Ａ２は、出力配線５５２、連結配線部５４１、接続配線５６２を介して接続端子５１２に選択的に接続され、出力端子Ｂ２は、出力配線５５４、連結配線部５４３、接続配線５６４を介して接続端子５１４に選択的に接続される。
すなわち、電子時計１では、出力端子Ａ１，Ａ２は、第１モーター１００の電極ＭＡ１，ＭＡ２に接続され、出力端子Ｂ１，Ｂ２は、第２モーター２００の電極ＭＢ１，ＭＢ２に接続される。
【００２９】
なお、図５に示すように、連結配線部５３１，５３３，５４１，５４３には、パンチ抜き領域ＰＡが設けられている。電子時計１では、パンチ抜き領域ＰＡはパンチ抜きされていないが、電子時計１の設計を変更した後述する電子時計１Ａでは、孔Ｐは設けられずに、パンチ抜き領域ＰＡがパンチ抜きされて孔が設けられる。
ここで、孔Ｐは、間にパンチ抜き領域ＰＡが位置するように配置され、パンチ抜き領域ＰＡは、隣り合って配置されている。これによれば、孔Ｐをパンチ抜きする際、または、電子時計１Ａにおいて、パンチ抜き領域ＰＡをパンチ抜きする際に、パンチ抜きの箇所を区別しやすくできる。
換言すると、孔Ｐの位置と、パンチ抜き領域ＰＡとの位置が区別しやすいように、第１配線経路５３０および第２配線経路５４０の引き回しが行われている。
【００３０】
［導通基板］
導通基板６００は、図２に示すように、長手形状を備え、文字板側には、一方の端部６０１から他方の端部６０２まで延在する２本の配線パターン６１０，６２０を備えている。導通基板６００の端部６０１には、ねじ止め用の孔６０３が設けられ、孔６０３を挿通するねじＮ２（図２，３）によって、第１モーター１００を間に挟んで地板（図示省略）に固定される。
ここで、端部６０１は、第１モーター１００の裏蓋側に位置し、配線パターン６１０，６２０は、第１モーター１００の電極ＭＡ１，ＭＡ２と対向し、接触して接続されている。
一方、端部６０２は、配線基板５１０の裏蓋側に位置し、配線パターン６１０，６２０は、配線基板５１０の裏蓋側に突出した接続端子５１１，５１２と接触して接続されている。
このように、配線基板５１０の接続端子５１１，５１２は、導通基板６００に設けられた配線パターン６１０，６２０を介して、第１モーター１００の電極ＭＡ１，ＭＡ２に接続される。
【００３１】
［指針の位置を変更した電子時計１Ａの説明］
次に、電子時計１に対して、指針の位置を変更し、これに伴い、電子時計１とは反対に、第１モーター１００でクロノグラフ用の指針を駆動させ、第２モーター２００で基本時計用の指針を駆動させるようにした電子時計１Ａについて説明する。
【００３２】
図６は、電子時計１と電子時計１Ａの指針の位置を比較した図である。
図６に示すように、電子時計１では、秒針４は、文字板１３の略中央に時針２および分針３と同軸上に設けられているが、電子時計１Ａでは、秒針（小秒針）４は、文字板１３の中央よりも６時側の軸上に設けられている。
また、電子時計１では、秒ＣＧ針６は、文字板１３の中央よりも６時側の軸上に設けられているが、電子時計１Ａでは、秒ＣＧ針６は、文字板１３の略中央（センター）に時針２および分針３と同軸上に設けられている。
電子時計１Ａのその他の時針２、分針３、２４時針５、分ＣＧ針７の位置は、電子時計１と同じである。
【００３３】
［ムーブメントの構成］
図７は、電子時計１Ａに搭載されたムーブメント１０Ａを裏蓋側から見た平面図である。
ムーブメント１０Ａは、第１モーター１００と、第２モーター２００と、基本時計輪列３００Ａと、クロノグラフ輪列４００Ａと、回路モジュール５００Ａと、導通基板６００とを備えている。
第１モーター１００は、電子時計１の第１モーター１００と同じ構成を備えている。ここで、電子時計１Ａでは、ローター１０４は、クロノグラフ輪列４００Ａを介して、文字板１３の略中央の位置ＰＣに配置され、秒ＣＧ針６が取り付けられる指針軸と、文字板１３の中央よりも９時側の位置Ｐ９に配置され、分ＣＧ針７が取り付けられる指針軸とを駆動する。
すなわち、第１モーター１００は、電子時計１Ａでは、クロノグラフ用の指針を駆動するモーターとして機能する。
第２モーター２００は、電子時計１の第２モーター２００と同じ構成を備えている。ここで、電子時計１Ａでは、ローター２０４は、基本時計輪列３００Ａを介して、文字板１３の略中央の位置ＰＣに配置され、時針２、分針３がそれぞれ取り付けられる指針軸と、文字板１３の中央よりも６時側の位置Ｐ６に配置され、秒針４が取り付けられる指針軸とを駆動する。
すなわち、第２モーター２００は、電子時計１Ａでは、基本時計用の指針を駆動するモーターとして機能する。
導通基板６００は、電子時計１の導通基板６００と同じ構成を備えている。
【００３４】
ここで、基本時計輪列３００Ａは、電子時計１の基本時計輪列３００を構成していた歯車２４，２５，２６と、電子時計１のクロノグラフ輪列４００を構成していた歯車２７，２８，２９と、新たに追加した歯車３４，３５，３６とを備えている。
電子時計１Ａでは、秒針４は、歯車２２ではなく、歯車２８に取り付けられている。そして、歯車３４は歯車２９と噛合し、歯車３５は歯車３４と噛合し、歯車３６は歯車３５と噛合する。また、歯車２４は、歯車３６に噛合している。
なお、基本時計輪列３００Ａの歯車２８，２４，２６をそれぞれ１回転させる第２モーター２００のステップ数は、電子時計１の基本時計輪列３００における歯車２２，２４，２６をそれぞれ１回転させる第１モーター１００のステップ数と同じ値に設定されている。
【００３５】
クロノグラフ輪列４００Ａは、電子時計１のクロノグラフ輪列４００を構成していた歯車３１，３２，３３と、電子時計１の基本時計輪列３００を構成していた歯車２１，２２と、新たに追加した歯車３７を備えている。
電子時計１Ａでは、秒ＣＧ針６は、歯車２８ではなく、歯車２２に取り付けられている。そして、歯車３７は歯車２２に噛合している。また、歯車３１は歯車３７に噛合している。
なお、クロノグラフ輪列４００Ａの歯車２２，３３をそれぞれ１回転させる第１モーター１００のステップ数は、電子時計１のクロノグラフ輪列４００における歯車２８，３３をそれぞれ１回転させる第２モーター２００のステップ数と同じ値に設定されている。
なお、電子時計１Ａでは、電子時計１における歯車２３，３０は構成から除外されている。
【００３６】
［回路モジュール］
電子時計１Ａの回路モジュール５００Ａは、配線基板５１０Ａにおけるパンチ抜きの箇所が、電子時計１の回路モジュール５００とは異なっている。その他の構成は、電子時計１の回路モジュール５００と同じである。
図８は、回路モジュール５００Ａにより構成されたモーター駆動回路を示す回路図である。
回路モジュール５００Ａでは、第１配線経路５３０における連結配線部５３１，５３３と、第２配線経路５４０における連結配線部５４１，５４３がパンチ抜きにより切断されている。
すなわち、回路モジュール５００Ａの配線基板５１０Ａでは、図５に示した配線基板５１０に対して、孔Ｐが設けられずに、パンチ抜き領域ＰＡがパンチ抜きされて孔が設けられた構成となっている。
これにより、出力端子Ａ１は、出力配線５５１、連結配線部５３４、接続配線５６３を介して接続端子５１３に選択的に接続され、出力端子Ｂ１は、出力配線５５３、連結配線部５３２、接続配線５６１を介して接続端子５１１に選択的に接続される。また、出力端子Ａ２は、出力配線５５２、連結配線部５４４、接続配線５６４を介して接続端子５１４に選択的に接続され、出力端子Ｂ２は、出力配線５５４、連結配線部５４２、接続配線５６２を介して接続端子５１２に選択的に接続される。
すなわち、電子時計１Ａでは、出力端子Ａ１，Ａ２は、第２モーター２００の電極ＭＢ１，ＭＢ２に接続され、出力端子Ｂ１，Ｂ２は、第１モーター１００の電極ＭＡ１，ＭＡ２に接続される。
【００３７】
［実施形態の作用効果］
配線基板５１０の第１配線経路５３０および第２配線経路５４０における切断位置を変更することで、制御ＩＣ５９０および配線基板５１０の配線を変更することなく、第１モーター１００および第２モーター２００の機能を入れ替えて使用できる。これにより、回路モジュール５００の設計や製造にかかるコストを低減できる。
【００３８】
制御ＩＣ５９０において、出力端子Ａ１，Ａ２は、出力端子Ｂ１と出力端子Ｂ２との間に配置されているため、各出力端子と第１および第２配線経路５３０，５４０とを接続する出力配線５５１，５５２，５５３，５５４を、互いに交差させることなく配置でき、交差する場合と比べて、配線構造を簡略化できる。
【００３９】
基本時計の指針の位置を、クロノグラフの指針の位置と容易に入れ替えることができるため、電子時計のデザインを容易に変更できる。
また、クロノグラフ時計では、指針の数が多くなるため、指針の位置を変更できることで、デザインのバリエーションを効果的に増やすことができる。
【００４０】
［他の実施形態］
なお、本発明は前記実施形態の構成に限定されず、本発明の要旨の範囲内で種々の変形実施が可能である。
前記実施形態では、出力端子Ａ１，Ａ２は、基本時計用のモーターの駆動信号を出力する端子であり、出力端子Ｂ１，Ｂ２は、クロノグラフ用のモーターの駆動信号を出力する端子であったが、本発明はこれに限定されない。すなわち、出力端子Ａ１，Ａ２は、クロノグラフ用のモーターの駆動信号を出力する端子であり、出力端子Ｂ１，Ｂ２は、基本時計用のモーターの駆動信号を出力する端子でもよい。
【００４１】
前記実施形態では、基本時計用の指針の位置と、クロノグラフ用の指針の位置とを入れ替えていたが、本発明はこれに限定されない。
例えば、図９に示すように、基本時計用の指針（時針２、分針３、秒針４）に加えて、モードを指示するモード針９と、秒ＣＧ針６と、時分ＣＧ針またはアラーム時計の時分針として機能する指針１１とを備える時計において、図１０に示すように、モード針９の位置（１２時方向）と指針１１の位置（６時方向）とを入れ替える際に本発明を適用してもよい。
また、この他に、指針の位置を変更できる指針としては、曜表示用の指針、インジケーター針、月齢表示用の指針、ワールドタイム用の指針等があげられる。
【００４２】
前記実施形態では、接続端子５１１，５１２は、領域Ｓ１，Ｓ２内に配置されているが、本発明はこれに限定されない。
例えば、接続端子５１１，５１２は、第１および第２配線経路５３０，５４０内に配置されていてもよい。この場合も、接続端子５１１，５１２は、配線基板５１０に設けられた貫通孔を介して配線基板５１０の裏蓋側に引き出すことができる。
【００４３】
前記実施形態では、制御ＩＣ５９０において、出力端子Ａ１，Ａ２，Ｂ１，Ｂ２は、図４に示されるように、制御ＩＣ５９０の外周の一辺に沿って配置されているが、本発明はこれに限定されない。
例えば、図１１に示すように、出力端子Ｂ１と、出力端子Ａ１，Ａ２と、出力端子Ｂ２とが、異なる辺に沿って配置されていてもよい。
この場合も、出力端子Ａ１，Ａ２は、出力端子Ｂ１と出力端子Ｂ２との間に配置されていればよい。すなわち、制御ＩＣの外周に沿った並び順において、出力端子Ａ１，Ａ２は、出力端子Ｂ１と出力端子Ｂ２との間に配置されている。
【００４４】
前記実施形態では、導通基板６００を介して、配線基板５１０の接続端子５１１，５１２は、第１モーター１００の電極ＭＡ１，ＭＡ２に接続されているが、本発明はこれに限定されない。
例えば、導通基板６００の形状や配線レイアウトを変更したり、第１モーター１００の配置箇所を変更することで、配線基板５１０の接続端子５１１，５１２を、第１モーター１００の電極ＭＡ１，ＭＡ２に、導通基板６００を用いずに直接接続するようにしてもよい。
【００４５】
前記実施形態では、クロノグラフ輪列４００の歯車２８，３３をそれぞれ１回転させる第２モーター２００のステップ数は、基本時計輪列３００における歯車２２，２４をそれぞれ１回転させる第１モーター１００のステップ数と同じ値に設定されているが、本発明はこれに限定されず、異なる値に設定されていてもよい。
【符号の説明】
【００４６】
１，１Ａ…電子時計、１０，１０Ａ…ムーブメント、１００…第１モーター、２００…第２モーター、５００，５００Ａ…回路モジュール、５１０…配線基板、５１１〜５１４…接続端子、５３０…第１配線経路、５３１〜５３４，５４１〜５４４…連結配線部、５４０…第２配線経路、５５１〜５５４…出力配線、５６１〜５６４…接続配線、５９０…制御ＩＣ、６００…導通基板、Ａ１，Ａ２，Ｂ１，Ｂ２…出力端子、Ｓ１，Ｓ２…領域。
【図１】
0006354371.tif 000002
【図２】
0006354371.tif 000003
【図３】
0006354371.tif 000004
【図４】
0006354371.tif 000005
【図５】
0006354371.tif 000006
【図６】
0006354371.tif 000007
【図７】
0006354371.tif 000008
【図８】
0006354371.tif 000009
【図９】
0006354371.tif 000010
【図１０】
0006354371.tif 000011
【図１１】
0006354371.tif 000012